【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
投影面上の第１投影領域および第２投影領域のそれぞれに異なる画像を投影する投影装置であって、
前記第１投影領域に投影される第１画像と前記第２投影領域に投影される第２画像を含む画像に基づいてレーザ光を射出する１つの光源ユニットと、
前記レーザ光を、それぞれ進行方向が異なる第１ビームおよび第２ビームに分割する分割手段と、
前記第１ビームを、前記第１投影領域に前記第１画像を構成する光を照射させる第１光学手段の入射面上に走査する第１走査手段と、
前記第２ビームを、前記第２投影領域に前記第２画像を構成する光を照射させる第２光学手段の入射面上に走査する第２走査手段と、
前記第１走査手段および前記第２走査手段を制御する制御手段と、
を備え、
前記制御手段は、前記第１光学手段の入射面上に前記第１ビームのうちの前記第１画像に対応する部分が走査されるように前記第１走査手段を制御するとともに、前記第２光学手段の入射面上に前記第２ビームのうちの前記第２画像に対応する部分が走査されるように前記第２走査手段を制御することを特徴とする投影装置。
【請求項２】
前記第１光学手段および前記第２光学手段の周辺に配置され、前記第１光学手段または前記第２光学手段の入射面上に走査されなかった前記第１ビームまたは第２ビームを遮光する遮光部を備えることを特徴とする請求項１に記載の投影装置。
【請求項３】
前記第１画像に対応する画像信号を取得する第１信号取得手段と、
前記第２画像に対応する画像信号を取得する第２信号取得手段と、
前記第１信号取得手段および前記第２信号取得手段により取得された画像信号に基づいて、前記第１画像と前記第２画像を並べて構成される合成画像を生成する合成画像生成手段と、を備え、
前記光源ユニットは、前記合成画像に基づいてレーザ光を射出することを特徴とする請求項１又は２に記載の投影装置。
【請求項４】
前記制御手段は、前記第１走査手段の走査可能範囲の中央領域を当該第１走査手段が走査している際に、当該第１走査手段に入射している第１ビームを前記第１光学手段の入射面の中央領域に向けて反射させるように前記第１走査手段を制御するとともに、前記第２走査手段の走査可能範囲の中央領域を当該第２走査手段が走査している際に、当該第２走査手段に入射している第２ビームを前記第２光学手段の入射面の中央領域に向けて反射させるように前記第２走査手段を制御することを特徴とする請求項１乃至３のいずれか一項に記載の投影装置。
【請求項５】
前記第１走査手段および前記第２走査手段の主走査方向における１往復の走査を１周期とした場合、前記第１走査手段と前記第２走査手段の走査タイミングは約１／４周期ずれていることを特徴とする請求項１乃至４のいずれか一項に記載の投影装置。
【請求項６】
前記制御手段は、前記第１光学手段の入射面上において、前記第１ビームのうちの前記第１画像に対応する部分が中央に走査され、前記第２画像に対応する部分が前記第１画像に対応する部分の左右の位置に走査されるように前記第１走査手段を制御するとともに、前記第２光学手段の入射面上において、前記第２ビームのうちの前記第２画像に対応する部分が中央に走査され、前記第１画像に対応する部分が前記第２画像に対応する部分の左右の位置に走査されるように前記第２走査手段を制御することを特徴とする請求項１乃至３のいずれか一項に記載の投影装置。
【請求項７】
投影面上の第１投影領域および第２投影領域のそれぞれに異なる画像を投影する投影装置により実行される投影方法であって、
１つの光源ユニットにより、前記第１投影領域に投影される第１画像と前記第２投影領域に投影される第２画像を含む画像に基づいてレーザ光を射出するレーザ光射出工程と、
分割手段により、前記レーザ光を、それぞれ進行方向が異なる第１ビームおよび第２ビームに分割する分割工程と、
第１走査手段により、前記第１ビームを、前記第１投影領域に前記第１画像を構成する光を照射させる第１光学手段の入射面上に走査する第１走査工程と、
第２走査手段により、前記第２ビームを、前記第２投影領域に前記第２画像を構成する光を照射させる第２光学手段の入射面上に走査する第２走査工程と、
前記第１走査手段および前記第２走査手段を制御する制御工程と、
を備え、
前記制御工程は、前記第１光学手段の入射面上に前記第１ビームのうちの前記第１画像に対応する部分が走査されるように前記第１走査手段を制御するとともに、前記第２光学手段の入射面上に前記第２ビームのうちの前記第２画像に対応する部分が走査されるように前記第２走査手段を制御することを特徴とする投影方法。
【請求項８】
投影面上の第１投影領域および第２投影領域のそれぞれに異なる画像を投影する投影装置により実行されるプログラムであって、
１つの光源ユニットにより、前記第１投影領域に投影される第１画像と前記第２投影領域に投影される第２画像を含む画像に基づいてレーザ光を射出するレーザ光射出工程と、
分割手段により、前記レーザ光を、それぞれ進行方向が異なる第１ビームおよび第２ビームに分割する分割工程と、
第１走査手段により、前記第１ビームを、前記第１投影領域に前記第１画像を構成する光を照射させる第１光学手段の入射面上に走査する第１走査工程と、
第２走査手段により、前記第２ビームを、前記第２投影領域に前記第２画像を構成する光を照射させる第２光学手段の入射面上に走査する第２走査工程と、
前記第１走査手段および前記第２走査手段を制御する制御工程と、
を前記投影装置に実行させ、
前記制御工程は、前記第１光学手段の入射面上に前記第１ビームのうちの前記第１画像に対応する部分が走査されるように前記第１走査手段を制御するとともに、前記第２光学手段の入射面上に前記第２ビームのうちの前記第２画像に対応する部分が走査されるように前記第２走査手段を制御することを特徴とするプログラム。
【請求項９】
請求項８に記載のプログラムを記憶したことを特徴とする記憶媒体。
【請求項１０】
第１投影領域および第２投影領域に画像を投影する投影装置であって、
レーザ光を射出する１つの光源ユニットと、
前記レーザ光を、それぞれ進行方向が異なる第１ビームおよび第２ビームに分割する分割手段と、
前記第１ビームを、前記第１投影領域に投影される第１画像を構成する為に走査する第１走査手段と、
前記第２ビームを、前記第２投影領域に投影される第２画像を構成する為に走査する第２走査手段と、
を備えることを特徴とする投影装置。
【手続補正２】
【補正対象書類名】明細書
【補正対象項目名】０００８
【補正方法】変更
【補正の内容】
【０００８】
請求項に記載の発明は、投影面上の第１投影領域および第２投影領域のそれぞれに異なる画像を投影する投影装置により実行されるプログラムであって、１つの光源ユニットにより、前記第１投影領域に投影される第１画像と前記第２投影領域に投影される第２画像を含む画像に基づいてレーザ光を射出するレーザ光射出工程と、分割手段により、前記レーザ光を、それぞれ進行方向が異なる第１ビームおよび第２ビームに分割する分割工程と、第１走査手段により、前記第１ビームを、前記第１投影領域に前記第１画像を構成する光を照射させる第１光学手段の入射面上に走査する第１走査工程と、第２走査手段により、前記第２ビームを、前記第２投影領域に前記第２画像を構成する光を照射させる第２光学手段の入射面上に走査する第２走査工程と、前記第１走査手段および前記第２走査手段を制御する制御工程と、を前記投影装置に実行させ、前記制御工程は、前記第１光学手段の入射面上に前記第１ビームのうちの前記第１画像に対応する部分が走査されるように前記第１走査手段を制御するとともに、前記第２光学手段の入射面上に前記第２ビームのうちの前記第２画像に対応する部分が走査されるように前記第２走査手段を制御する。
請求項に記載の発明は、第１投影領域および第２投影領域に画像を投影する投影装置であって、レーザ光を射出する１つの光源ユニットと、前記レーザ光を、それぞれ進行方向が異なる第１ビームおよび第２ビームに分割する分割手段と、前記第１ビームを、前記第１投影領域に投影される第１画像を構成する為に走査する第１走査手段と、前記第２ビームを、前記第２投影領域に投影される第２画像を構成する為に走査する第２走査手段と、を備える。